(57)【要約】【課題】会葬返礼品用容器を加工する必要がなく、各種サイズの会葬返礼品用容器に適用でき、会葬返礼品用容器内の返礼品に影響を与えることなく会葬礼状、小袋入り清め塩を収納できる会葬返礼品用容器の三角ポケット形成用シールを提供する。【解決手段】会葬返礼品を収納する会葬返礼品用容器７，１２の直角コーナー部８の表面に三角ポケットを形成するための三角ポケット形成用シール１であって、三角ポケット形成用シール１が直角三角形のポケット部２と、ポケット部２の底辺と垂直辺にそれぞれ接着部３，４が形成され、ポケット部２と各接着部３，４の境界に折り曲げ線用のミシン目５を入れ、シールには透明シールを使用する。【選択図】図１
2005087331.tif 000002
【特許請求の範囲】
【請求項１】
会葬返礼品を収納する会葬返礼品用容器の直角コーナー部の表面に三角ポケットを形成するための三角ポケット形成用シールであって、前記三角ポケット形成用シールが直角三角形のポケット部と、該ポケット部の底辺と垂直辺にそれぞれ接着部が形成されていることを特徴とする会葬返礼品用容器の三角ポケット形成用シール。
【請求項２】
前記ポケット部と各接着部の境界に折り曲げ線用のミシン目を入れたことを特徴とする請求項１記載の会葬返礼品用容器の三角ポケット形成用シール。
【請求項３】
前記ポケット部が透明シールであることを特徴とする請求項１又は２記載の会葬返礼品用容器の三角ポケット形成用シール。
【発明の詳細な説明】
【技術分野】
【０００１】
本発明は、会葬の返礼品を収納した箱や封筒などの会葬返礼品用容器の表面に三角ポケットを形成するための三角ポケット形成用シールに関する。
【背景技術】
【０００２】
葬儀では弔問客に対して、そのお礼として、会葬礼状、小袋入りお清め塩、茶葉やハンカチなどの返礼品を収納した箱あるいは封筒などの会葬返礼品用容器を袋に収納して配布するのが慣習となっている。
【０００３】
例えば、特許文献１には、角筒状箱本体の一壁面に小袋入り清め塩や栞等の書状を保持する保持部が設けられるとともに、前記箱本体が粗供養品として収納される一対の細身の板付き蒲鉾を横並びにした態様で箱本体内に拘束状態に収納しうる大きさに形成されており、保持部が箱本体の一壁面の一隅部に設けられた切れ目を出し入れ口として設けられている粗供養品の包装用箱が記載されている。
【特許文献１】特開平１１−１０５８５１号公報
【発明の開示】
【発明が解決しようとする課題】
【０００４】
従来の会葬礼状、小袋入りお清め塩、会葬返礼品用容器を袋に入れる場合には、別途これらを収納する袋をさらに用意しなくてはならないという欠点がある。
【０００５】
また、特許文献１記載の包装用箱では、箱の一壁面に切れ目を入れる加工が必要となり、また、食品など返礼品の種類によっては、切り込みを入れると中味の保存状態に影響を与えたり、あるいは中味が外に出たり、小袋入りお清め塩が箱の中に入り込んだりするおそれがある。
【０００６】
そこで、本発明は、会葬返礼品用容器を加工する必要がなく、各種サイズの会葬返礼品用容器に適用でき、会葬返礼品用容器内の返礼品に影響を与えることなく会葬礼状、小袋入り清め塩を収納できる会葬返礼品用容器の三角ポケット形成用シールを提供するものである。
【課題を解決するための手段】
【０００７】
本発明は、会葬返礼品を収納する会葬返礼品用容器の直角コーナー部の表面に三角ポケットを形成するための三角ポケット形成用シールであって、前記三角ポケット形成用シールが直角三角形のポケット部と、該ポケット部の底辺と垂直辺にそれぞれ接着部が形成されていることを特徴とする。
【発明の効果】
【０００８】
本発明の三角ポケット形成用シールは、会葬返礼品用容器を加工する必要がなく、直角のコーナーを有する会葬返礼品用容器であれば、箱や封筒などの会葬返礼品用容器に貼着するだけで使用することができる。
【０００９】
また、シールが直角三角形なので、会葬返礼品用容器の直角のコーナーにシールの直角部を合わせるだけで各種サイズのものに簡単にポケットを形成することができる。
【発明を実施するための最良の形態】
【００１０】
図１（ａ）は本発明の会葬返礼品用容器の三角ポケット形成用シールの全体図、（ｂ）は三角ポケット形成用シールを箱に適用した例の斜視図、（ｃ）は三角ポケット形成用シールを封筒に適用した例を示す斜視図である。
【００１１】
図１（ａ）において、三角ポケット形成用シール１はＰＥＴ等の合成樹脂シートで形成する。シール１は色つきあるいは模様入りでもよく、あるいはシール１を透明シールにすると、収納物が見えるので、小袋入りお清め塩などの取り忘れがなくなるという利点もある。
【００１２】
三角ポケット形成用シール１は、直角三角形のポケット部２の底辺に長方形の接着部３、垂直辺に長方形の接着部４を設ける。ポケット部２と各接着部３，４の境界の折り曲げ線はミシン目５を入れて折り曲げ易いようにする。各接着部３，４は、底辺と垂直辺の直角部分で会葬用容器の角に当たらないように切り欠き６を形成しておく。接着部３，４は剥離紙で保護した感圧接着剤を使用したり、使用時に糊を塗ったり、あるいはその他の接着手段により会葬返礼品用容器に貼着できるようにする。会葬返礼品用容器としては、図１（ｂ）に示すように、本発明の三角ポケット形成用シール１を箱型の会葬返礼品用容器７に適用する場合、箱７のコーナーの角部８に三角ポケット形成用シール１のポケット部２の直角部９を合わせて位置決めした後、接着剤が塗布してある、底辺と垂直辺のそれぞれの接着部３，４を折り曲げて箱７の側面に貼着して、三角ポケットを形成する。
【００１３】
その後、形成された三角ポケットに会葬礼状１０、小袋入りお清め塩１１を挿入する。
【００１４】
図１（ｃ）に示すように、会葬返礼品用容器１２として茶袋等の入った封筒１２に適用する場合も箱の場合と同様に封筒１２の下部のコーナーの角部８に三角ポケット形成用シール１のポケット部２の直角部９を合わせて位置決めした後、接着剤が塗布してある、底辺と垂直辺のそれぞれの接着部３，４を折り曲げて封筒１２の裏面に貼着して、三角ポケットを形成する。その後、形成された三角ポケットに会葬礼状１０、小袋入りお清め塩１１を挿入する。
【００１５】
会葬返礼品用容器は、箱や封筒に限られるものではなく、返礼品を包装したものでコーナーに角部を有するもの、あるいはひも付きバックでコーナーに角部を有するものなど、返礼品を収納するものがコーナーに角部を有していれば、この角部に本発明の三角ポケット形成用シール１のポケット部２の直角部９を合わせて接着部を貼着することにより三角ポケットを形成することができる。
【産業上の利用可能性】
【００１６】
本発明の三角ポケット形成用シールは、箱や封筒などの会葬返礼品用容器に貼着するだけで使用することができる。
【図面の簡単な説明】
【００１７】
【図１】（ａ）は本発明の会葬返礼品用容器の三角ポケット形成用シールの全体図、（ｂ）は三角ポケット形成用シールを箱に適用した例の斜視図、（ｃ）は三角ポケット形成用シールを封筒に適用した例を示す斜視図である。
【符号の説明】
【００１８】
１：三角ポケット形成用シール
２：ポケット部
３：接着部
４：接着部
５：ミシン目
６：切り欠き
７：会葬返礼品用容器（箱）
８：角部
９：直角部
１０：会葬礼状
１１：小袋入りお清め塩
１２：会葬返礼品用容器（封筒）
【図１】
2005087331.tif 000003